(57)【要約】【課題】ＨＤＭＩ伝送方式において、ストリームデータの切り替えに起因する音声乱れを防止する。【解決手段】音声切替期間情報送信手段１３は、音声ストリームデータＡＤの種類が切り替わるタイミングよりも前のタイミングでアサートされ、音声ストリームデータの種類の切り替わりタイミングよりも所定時間経過後にネゲートされてデータ種類の切り替えの前後にわたる期間を制御する音声切替期間情報Ａｘを送信する。音声種別情報受信手段３２は音声ストリームデータＡＤの種類を示す音声種別情報Ａｃを受信し、音声切替期間情報受信手段３３は音声切替期間情報Ａｘを受信する。再生速度可変再生手段５１ａは、音声切替期間情報Ａｘがアサート状態にあるときは、受信した音声ストリームデータＡＤに対して再生速度変換を行った上で再生を行う。【選択図】図１
2008107397.tif 000002
【特許請求の範囲】
【請求項１】
ＨＤＭＩ伝送方式で複数種類の音声ストリームデータを送信する音声ストリームデータ送信手段と、
前記音声ストリームデータ送信手段が送信する前記音声ストリームデータの種類を示す音声種別情報を送信する音声種別情報送信手段と、
前記音声ストリームデータ送信手段が送信する前記音声ストリームデータの種類が切り替わるタイミングよりも前のタイミングでアサートされ、前記音声ストリームデータの種類の切り替わりタイミングよりも所定時間経過後にネゲートされて前記データ種類の切り替えの前後にわたる期間を制御する音声切替期間情報を送信する音声切替期間情報送信手段とを備えたＨＤＭＩ伝送方式送信装置。
【請求項２】
ＨＤＭＩ伝送方式の複数種類の音声ストリームデータを受信する音声ストリームデータ受信手段と、
前記音声ストリームデータ受信手段で受信する前記音声ストリームデータの種類を示す音声種別情報を受信する音声種別情報受信手段と、
送信装置から送信されてくる音声切替期間情報であって、前記送信装置が送信する前記音声ストリームデータの種類が切り替わるタイミングよりも前のタイミングでアサートされ、前記音声ストリームデータの種類の切り替わりタイミングよりも所定時間経過後にネゲートされて前記データ種類の切り替えの前後にわたる期間を制御する音声切替期間情報を受信する音声切替期間情報受信手段と、
前記音声切替期間情報受信手段が受信する前記音声切替期間情報がネゲート状態にあるときは、前記音声ストリームデータ受信手段が受信する前記音声ストリームデータに対して前記音声種別情報受信手段が受信する前記音声種別情報に対応した再生速度で再生を行い、前記音声切替期間情報がアサート状態にあるときは、前記音声ストリームデータに対して再生速度変換を行った上で再生を行う再生速度可変再生手段とを備えたＨＤＭＩ伝送方式受信装置。
【請求項３】
ＨＤＭＩ伝送方式の複数種類の音声ストリームデータを受信する音声ストリームデータ受信手段と、
前記音声ストリームデータ受信手段で受信する前記音声ストリームデータの種類を示す音声種別情報を受信する音声種別情報受信手段と、
送信装置から送信されてくる音声切替期間情報であって、前記送信装置が送信する前記音声ストリームデータの種類が切り替わるタイミングよりも前のタイミングでアサートされ、前記音声ストリームデータの種類の切り替わりタイミングよりも所定時間経過後にネゲートされて前記データ種類の切り替えの前後にわたる期間を制御する音声切替期間情報を受信する音声切替期間情報受信手段と、
前記音声切替期間情報受信手段が受信する前記音声切替期間情報がネゲート状態にあるときは、前記音声ストリームデータ受信手段が受信する前記音声ストリームデータに対して前記音声種別情報受信手段が受信する前記音声種別情報に対応した再生速度で再生を行い、前記音声切替期間情報がアサート状態にあるときは、前記音声ストリームデータに対してミュート処理を行うミュート処理付き再生手段とを備えたＨＤＭＩ伝送方式受信装置。
【請求項４】
請求項１に記載のＨＤＭＩ伝送方式送信装置と、請求項２または請求項３に記載のＨＤＭＩ伝送方式受信装置とを備えたＨＤＭＩ伝送方式送受信システム。
【請求項５】
ＨＤＭＩ伝送方式で複数種類の音声ストリームデータを送信する音声ストリームデータ送信工程と、
前記音声ストリームデータ送信工程において送信する前記音声ストリームデータの種類を示す音声種別情報を送信する音声種別情報送信工程と、
前記音声ストリームデータ送信工程において送信する前記音声ストリームデータの種類が切り替わるタイミングよりも前のタイミングでアサートされ、前記音声ストリームデータの種類の切り替わりタイミングよりも所定時間経過後にネゲートされて前記データ種類の切り替えの前後にわたる期間を制御する音声切替期間情報を送信する音声切替期間情報送信工程とを含むＨＤＭＩ伝送方式送信方法。
【請求項６】
ＨＤＭＩ伝送方式の複数種類の音声ストリームデータを受信する音声ストリームデータ受信工程と、
前記音声ストリームデータ受信工程において受信する前記音声ストリームデータの種類を示す音声種別情報を受信する音声種別情報受信工程と、
送信装置から送信されてくる音声切替期間情報であって、前記送信装置が送信する前記音声ストリームデータの種類が切り替わるタイミングよりも前のタイミングでアサートされ、前記音声ストリームデータの種類の切り替わりタイミングよりも所定時間経過後にネゲートされて前記データ種類の切り替えの前後にわたる期間を制御する音声切替期間情報を受信する音声切替期間情報受信工程と、
前記音声切替期間情報受信工程において受信する前記音声切替期間情報がネゲート状態にあるときは、前記音声ストリームデータ受信工程において受信する前記音声ストリームデータに対して前記音声種別情報受信工程において受信する前記音声種別情報に対応した再生速度で再生を行い、前記音声切替期間情報がアサート状態にあるときは、前記音声ストリームデータに対して再生速度変換を行った上で再生を行う再生速度可変再生工程とを含むＨＤＭＩ伝送方式受信方法。
【請求項７】
ＨＤＭＩ伝送方式の複数種類の音声ストリームデータを受信する音声ストリームデータ受信工程と、
前記音声ストリームデータ受信工程において受信する前記音声ストリームデータの種類を示す音声種別情報を受信する音声種別情報受信工程と、
送信装置から送信されてくる音声切替期間情報であって、前記送信装置が送信する前記音声ストリームデータの種類が切り替わるタイミングよりも前のタイミングでアサートされ、前記音声ストリームデータの種類の切り替わりタイミングよりも所定時間経過後にネゲートされて前記データ種類の切り替えの前後にわたる期間を制御する音声切替期間情報を受信する音声切替期間情報受信工程と、
前記音声切替期間情報受信工程において受信する前記音声切替期間情報がネゲート状態にあるときは、前記音声ストリームデータ受信工程において受信する前記音声ストリームデータに対して前記音声種別情報受信工程において受信する前記音声種別情報に対応した再生速度で再生を行い、前記音声切替期間情報がアサート状態にあるときは、前記音声ストリームデータに対してミュート処理を行うミュート処理付き再生工程とを含むＨＤＭＩ伝送方式受信方法。
【請求項８】
請求項５に記載のＨＤＭＩ伝送方式送信方法と、請求項６または請求項７に記載のＨＤＭＩ伝送方式受信方法との組み合わせからなるＨＤＭＩ伝送方式送受信方法。
【請求項９】
ＨＤＭＩ伝送方式で複数種類の映像ストリームデータを送信する映像ストリームデータ送信手段と、
前記映像ストリームデータ送信手段が送信する前記映像ストリームデータの種類を示す映像種別情報を送信する映像種別情報送信手段と、
前記映像ストリームデータ送信手段が送信する前記映像ストリームデータの種類が切り替わるタイミングよりも前のタイミングでアサートされ、前記映像ストリームデータの種類の切り替わりタイミングよりも所定時間経過後にネゲートされて前記データ種類の切り替えの前後にわたる期間を制御する映像切替期間情報を送信する映像切替期間情報送信手段とを備えたＨＤＭＩ伝送方式送信装置。
【請求項１０】
ＨＤＭＩ伝送方式の複数種類の映像ストリームデータを受信する映像ストリームデータ受信手段と、
前記映像ストリームデータ受信手段で受信する前記映像ストリームデータの種類を示す映像種別情報を受信する映像種別情報受信手段と、
送信装置から送信されてくる映像切替期間情報であって、前記送信装置が送信する前記映像ストリームデータの種類が切り替わるタイミングよりも前のタイミングでアサートされ、前記映像ストリームデータの種類の切り替わりタイミングよりも所定時間経過後にネゲートされて前記データ種類の切り替えの前後にわたる期間を制御する映像切替期間情報を受信する映像切替期間情報受信手段と、
前記映像切替期間情報受信手段が受信する前記映像切替期間情報がネゲート状態にあるときは、前記映像ストリームデータ受信手段が受信する前記映像ストリームデータに対して前記映像種別情報受信手段が受信する前記映像種別情報に対応した再生速度で再生を行い、前記映像切替期間情報がアサート状態にあるときは、前記映像ストリームデータに対して再生速度変換を行った上で再生を行う再生速度可変再生手段とを備えたＨＤＭＩ伝送方式受信装置。
【請求項１１】
ＨＤＭＩ伝送方式の複数種類の映像ストリームデータを受信する映像ストリームデータ受信手段と、
前記映像ストリームデータ受信手段で受信する前記映像ストリームデータの種類を示す映像種別情報を受信する映像種別情報受信手段と、
送信装置から送信されてくる映像切替期間情報であって、前記送信装置が送信する前記映像ストリームデータの種類が切り替わるタイミングよりも前のタイミングでアサートされ、前記映像ストリームデータの種類の切り替わりタイミングよりも所定時間経過後にネゲートされて前記データ種類の切り替えの前後にわたる期間を制御する映像切替期間情報を受信する映像切替期間情報受信手段と、
前記映像切替期間情報受信手段が受信する前記映像切替期間情報がネゲート状態にあるときは、前記映像ストリームデータ受信手段が受信する前記映像ストリームデータに対して前記映像種別情報受信手段が受信する前記映像種別情報に対応した再生速度で再生を行い、前記映像切替期間情報がアサート状態にあるときは、前記映像ストリームデータに対してミュート処理を行うミュート処理付き再生手段とを備えたＨＤＭＩ伝送方式受信装置。
【請求項１２】
請求項９に記載のＨＤＭＩ伝送方式送信装置と、請求項１０または請求項１１に記載のＨＤＭＩ伝送方式受信装置とを備えたＨＤＭＩ伝送方式送受信システム。
【請求項１３】
ＨＤＭＩ伝送方式で複数種類の映像ストリームデータを送信する映像ストリームデータ送信工程と、
前記映像ストリームデータ送信工程において送信する前記映像ストリームデータの種類を示す映像種別情報を送信する映像種別情報送信工程と、
前記映像ストリームデータ送信工程において送信する前記映像ストリームデータの種類が切り替わるタイミングよりも前のタイミングでアサートされ、前記映像ストリームデータの種類の切り替わりタイミングよりも所定時間経過後にネゲートされて前記データ種類の切り替えの前後にわたる期間を制御する映像切替期間情報を送信する映像切替期間情報送信工程とを含むＨＤＭＩ伝送方式送信方法。
【請求項１４】
ＨＤＭＩ伝送方式の複数種類の映像ストリームデータを受信する映像ストリームデータ受信工程と、
前記映像ストリームデータ受信工程において受信する前記映像ストリームデータの種類を示す映像種別情報を受信する映像種別情報受信工程と、
送信装置から送信されてくる映像切替期間情報であって、前記送信装置が送信する前記映像ストリームデータの種類が切り替わるタイミングよりも前のタイミングでアサートされ、前記映像ストリームデータの種類の切り替わりタイミングよりも所定時間経過後にネゲートされて前記データ種類の切り替えの前後にわたる期間を制御する映像切替期間情報を受信する映像切替期間情報受信工程と、
前記映像切替期間情報受信工程において受信する前記映像切替期間情報がネゲート状態にあるときは、前記映像ストリームデータ受信工程において受信する前記映像ストリームデータに対して前記映像種別情報受信工程において受信する前記映像種別情報に対応した再生速度で再生を行い、前記映像切替期間情報がアサート状態にあるときは、前記映像ストリームデータに対して再生速度変換を行った上で再生を行う再生速度可変再生工程とを含むＨＤＭＩ伝送方式受信方法。
【請求項１５】
ＨＤＭＩ伝送方式の複数種類の映像ストリームデータを受信する映像ストリームデータ受信工程と、
前記映像ストリームデータ受信工程において受信する前記映像ストリームデータの種類を示す映像種別情報を受信する映像種別情報受信工程と、
送信装置から送信されてくる映像切替期間情報であって、前記送信装置が送信する前記映像ストリームデータの種類が切り替わるタイミングよりも前のタイミングでアサートされ、前記映像ストリームデータの種類の切り替わりタイミングよりも所定時間経過後にネゲートされて前記データ種類の切り替えの前後にわたる期間を制御する映像切替期間情報を受信する映像切替期間情報受信工程と、
前記映像切替期間情報受信工程において受信する前記映像切替期間情報がネゲート状態にあるときは、前記映像ストリームデータ受信工程において受信する前記映像ストリームデータに対して前記映像種別情報受信工程において受信する前記映像種別情報に対応した再生速度で再生を行い、前記映像切替期間情報がアサート状態にあるときは、前記映像ストリームデータに対してミュート処理を行うミュート処理付き再生工程とを含むＨＤＭＩ伝送方式受信方法。
【請求項１６】
請求項１３に記載のＨＤＭＩ伝送方式送信方法と、請求項１４または請求項１５に記載のＨＤＭＩ伝送方式受信方法との組み合わせからなるＨＤＭＩ伝送方式送受信方法。
【請求項１７】
請求項１に記載の音声用のＨＤＭＩ伝送方式送信装置と請求項９に記載の映像用のＨＤＭＩ伝送方式送信装置との組み合わせからなるＨＤＭＩ伝送方式送信装置。
【請求項１８】
請求項２または請求項３に記載の音声用のＨＤＭＩ伝送方式受信装置と請求項１０または請求項１１に記載の映像用のＨＤＭＩ伝送方式受信装置との組み合わせからなるＨＤＭＩ伝送方式受信装置。
【請求項１９】
請求項１７に記載の音声映像用のＨＤＭＩ伝送方式送信装置と請求項１８に記載の音声映像用のＨＤＭＩ伝送方式受信装置との組み合わせからなるＨＤＭＩ伝送方式送受信システム。
【請求項２０】
請求項５に記載の音声用のＨＤＭＩ伝送方式送信方法と請求項１３に記載の映像用のＨＤＭＩ伝送方式送信方法との組み合わせからなるＨＤＭＩ伝送方式送信方法。
【請求項２１】
請求項６に記載の音声用のＨＤＭＩ伝送方式受信方法と請求項１４に記載の映像用のＨＤＭＩ伝送方式受信方法との組み合わせからなるＨＤＭＩ伝送方式受信方法。
【請求項２２】
請求項７に記載の音声用のＨＤＭＩ伝送方式受信方法と請求項１５に記載の映像用のＨＤＭＩ伝送方式受信方法との組み合わせからなるＨＤＭＩ伝送方式受信方法。
【請求項２３】
請求項８に記載の音声用のＨＤＭＩ伝送方式送受信方法と請求項１６に記載の映像用のＨＤＭＩ伝送方式送受信方法との組み合わせからなるＨＤＭＩ伝送方式送受信方法。
【発明の詳細な説明】
【技術分野】
【０００１】
本発明は、音声または映像についてＨＤＭＩ伝送方式で複数種類のストリームデータを取り扱うＨＤＭＩ（High Definition Multimedia Interface）伝送方式の送受信システムおよびその関連技術、詳しくは、送信装置、受信装置、送信方法、受信方法、送受信方法にかかわり、ストリームデータの種類を変更したときの音声出力や映像出力の品質劣化を抑制するための技術に関する。
【背景技術】
【０００２】
ＨＤＭＩ伝送方式送受信システムは、映像信号、音声信号の送信装置（ソース側）と、映像信号、音声信号の受信装置（シンク側）と、送信装置と受信装置を接続しているＨＤＭＩケーブルとで構成されている。ＨＤＭＩケーブルはＨＤＭＩ規格で定義されている。映像信号は、映像ストリームデータ（ＶＩＤＥＯ  ＳＯＵＲＣＥ）と、映像信号の種類を識別する映像種別情報（ＡＶＩＩｎｆｏＦｒａｍｅ）で伝達される。また、音声信号は、音声ストリームデータ（ＡＵＤＩＯ  ＳＯＵＲＣＥ）と、音声信号の種類を識別する音声種別情報（ＡｕｄｉｏＩｎｆｏＦｒａｍｅ）で伝達される。
【０００３】
映像信号にはいくつかの種類があり、代表的なものとしてＲＧＢやＹＣｂＣｒがある。例えば映像信号をＲＧＢからＹＣｂＣｒに切り替える場合、送信装置が映像ストリームデータをＲＧＢからＹＣｂＣｒに変更し、映像信号の種類をＹＣｂＣｒとする映像種別情報を受信装置に送信する。受信装置はＨＤＭＩケーブルを通じて映像種別情報を受信し、映像ストリームデータをＹＣｂＣｒとして処理することで、映像信号の切り替えを行う。
【０００４】
音声信号にもいくつかの種類があり、代表的なものとして４４．１ｋＨｚ／ＤＴＳや４８ｋＨｚ／ＰＣＭがある。例えば音声信号を４８ｋＨｚ／ＰＣＭから４４．１ｋＨｚ／ＤＴＳに切り替える場合、送信装置が音声ストリームデータを４８ｋＨｚ／ＰＣＭから４４．１ｋＨｚ／ＤＴＳに変更し、音声信号の種類を４４．１ｋＨｚ／ＤＴＳとする音声種別情報を受信装置に送信する。受信装置はＨＤＭＩケーブルを通じて音声種別情報を受信し、音声ストリームデータを４４．１ｋＨｚ／ＤＴＳとして処理することで、音声信号の切り替えを行う。
【特許文献１】特開２００５−３２３１８２号公報（第５−８頁、第１−５図）
【発明の開示】
【発明が解決しようとする課題】
【０００５】
ところで、ＨＤＭＩの規格では、映像、音声のストリームデータと映像、音声の種別情報という別々の情報を同時に送受信可能であることを前提にしている。一方の情報が遅延した場合の想定がなされておらず、また一方の情報が欠落していることを検出する機能もなく、一方の情報が欠落している期間を受信装置で正確に検出することができない。
【０００６】
音声ストリームデータが４８ｋＨｚ／ＰＣＭから４４．１ｋＨｚ／ＤＴＳに変わるタイミングと受信装置の音声種別情報の受信との間にタイムラグがあると、受信装置は音声ストリームデータの４４．１ｋＨｚ／ＤＴＳを誤って４８ｋＨｚ／ＰＣＭとして処理してしまい、ノイズ混入等、音声品質が劣化する。
【０００７】
図２１は従来の技術における音声ストリームデータ切り替え時の動作を示すタイミングチャートである。
【０００８】
期間Ｆ１では、送信装置と受信装置が音声ストリームデータＡＤを４８ｋＨｚ／ＰＣＭで送受信している。送信装置において、音声ストリームデータＡＤと音声種別情報Ａｃとが一致し、受信装置においても、音声ストリームデータＡＤと音声種別情報Ａｃとが一致している。
【０００９】
期間Ｆ２では、送信装置の音声ストリームデータＡＤが４４．１ｋＨｚ／ＤＴＳに切り替えられ、音声種別情報Ａｃも４４．１ｋＨｚ／ＤＴＳに切り替えられている。しかし、受信装置では、音声ストリームデータＡＤも音声種別情報Ａｃもともに４８ｋＨｚ／ＰＣＭのままである。
【００１０】
期間Ｆ３では、送信装置は期間Ｆ２と同じである。受信装置では、音声ストリームデータＡＤが４４．１ｋＨｚ／ＤＴＳに切り替わるが、音声種別情報Ａｃは４８ｋＨｚ／ＰＣＭのままである。これは、音声ストリームデータＡＤと音声種別情報Ａｃとが非同期に送受信されるためである。音声ストリームデータＡＤは受信装置に到達したが、音声種別情報Ａｃはまだ受信装置に到達していないのである。この期間Ｆ３は音声形式不一致区間Ｔｚである。
【００１１】
期間Ｆ４では、送信装置は期間Ｆ３と同じである。受信装置では、音声種別情報Ａｃも４４．１ｋＨｚ／ＤＴＳに切り替わり、これは音声ストリームデータＡＤの４４．１ｋＨｚ／ＤＴＳと一致することになる。
【００１２】
上記において、音声形式不一致区間Ｔｚでは、音声ストリームデータＡＤと音声種別情報Ａｃとが不一致となるため、音声ストリームデータＡＤに対して誤った再生処理していることになる。つまり、４４．１ｋＨｚ／ＤＴＳの音声ストリームデータＡＤを４８ｋＨｚ／ＰＣＭとして処理していることになる。結果、このタイムラグの期間中は、受信装置の音声信号が異常となり、音声が乱れることとなる。
【００１３】
以上の説明は、音声ストリームデータについてであったが、映像ストリームデータについても、図２２に示すように同様の問題がある。
【００１４】
本発明は、このような事情に鑑みて創作したものであり、ＨＤＭＩ伝送方式において、ストリームデータの種類を変更したときの音声出力や映像出力の品質劣化を抑制することができるようにすることを目的としている。
【課題を解決するための手段】
【００１５】
本発明は、上記の課題を解決するために次のような手段を講じる。
【００１６】
（１）図１に示す本発明による音声用のＨＤＭＩ伝送方式送信装置ＳＡは、ＨＤＭＩ伝送方式で複数種類の音声ストリームデータＡＤを送信する音声ストリームデータ送信手段１１と、音声ストリームデータ送信手段１１が送信する音声ストリームデータＡＤの種類を示す音声種別情報Ａｃを送信する音声種別情報送信手段１２と、音声ストリームデータ送信手段１１が送信する音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを送信する音声切替期間情報送信手段１３とを備えている。
【００１７】
（２）図１に示す本発明による音声用のＨＤＭＩ伝送方式受信装置ＲＡは、ＨＤＭＩ伝送方式の複数種類の音声ストリームデータＡＤを受信する音声ストリームデータ受信手段３１と、音声ストリームデータ受信手段３１で受信する音声ストリームデータＡＤの種類を示す音声種別情報Ａｃを受信する音声種別情報受信手段３２と、送信装置ＳＡから送信されてくる音声切替期間情報Ａｘであって、送信装置ＳＡが送信する音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを受信する音声切替期間情報受信手段３３と、音声切替期間情報受信手段３３が受信する音声切替期間情報Ａｘがネゲート状態にあるときは、音声ストリームデータ受信手段３１が受信する音声ストリームデータＡＤに対して音声種別情報受信手段３２が受信する音声種別情報Ａｃに対応した再生速度で再生を行い、音声切替期間情報Ａｘがアサート状態にあるときは、音声ストリームデータＡＤに対して再生速度変換を行った上で再生を行う再生速度可変再生手段５１ａとを備えている。
【００１８】
（３）図２に示す本発明による音声用のＨＤＭＩ伝送方式受信装置ＲＡ′は、ＨＤＭＩ伝送方式の複数種類の音声ストリームデータＡＤを受信する音声ストリームデータ受信手段３１と、音声ストリームデータ受信手段３１で受信する音声ストリームデータＡＤの種類を示す音声種別情報Ａｃを受信する音声種別情報受信手段３２と、送信装置ＳＡから送信されてくる音声切替期間情報Ａｘであって、送信装置ＳＡが送信する音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを受信する音声切替期間情報受信手段３３と、音声切替期間情報受信手段３３が受信する音声切替期間情報Ａｘがネゲート状態にあるときは、音声ストリームデータ受信手段３１が受信する音声ストリームデータＡＤに対して音声種別情報受信手段３２が受信する音声種別情報Ａｃに対応した再生速度で再生を行い、音声切替期間情報Ａｘがアサート状態にあるときは、音声ストリームデータＡＤに対してミュート処理を行うミュート処理付き再生手段５１ｂとを備えている。
【００１９】
（４）図１または図２に示すように、音声用のＨＤＭＩ伝送方式送信装置ＳＡと、音声用のＨＤＭＩ伝送方式受信装置ＲＡまたはＲＡ′とで音声用のＨＤＭＩ伝送方式送受信システムが構成されている。
【００２０】
（５）本発明によるＨＤＭＩ伝送方式送信方法は、ＨＤＭＩ伝送方式で複数種類の音声ストリームデータＡＤを送信する音声ストリームデータ送信工程と、音声ストリームデータ送信工程において送信する音声ストリームデータＡＤの種類を示す音声種別情報Ａｃを送信する音声種別情報送信工程と、音声ストリームデータ送信工程において送信する音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを送信する音声切替期間情報Ａｘ送信工程とを含むものである。
【００２１】
（６）本発明によるＨＤＭＩ伝送方式受信方法は、ＨＤＭＩ伝送方式の複数種類の音声ストリームデータＡＤを受信する音声ストリームデータ受信工程と、音声ストリームデータ受信工程において受信する音声ストリームデータＡＤの種類を示す音声種別情報Ａｃを受信する音声種別情報受信工程と、送信装置ＳＡから送信されてくる音声切替期間情報Ａｘであって、送信装置ＳＡが送信する音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを受信する音声切替期間情報受信工程と、音声切替期間情報受信工程において受信する音声切替期間情報Ａｘがネゲート状態にあるときは、音声ストリームデータ受信工程において受信する音声ストリームデータＡＤに対して音声種別情報受信工程において受信する音声種別情報Ａｃに対応した再生速度で再生を行い、音声切替期間情報Ａｘがアサート状態にあるときは、音声ストリームデータＡＤに対して再生速度変換を行った上で再生を行う再生速度可変再生工程とを含むものである。
【００２２】
（７）本発明によるＨＤＭＩ伝送方式受信方法は、ＨＤＭＩ伝送方式の複数種類の音声ストリームデータＡＤを受信する音声ストリームデータ受信工程と、音声ストリームデータ受信工程において受信する音声ストリームデータＡＤの種類を示す音声種別情報Ａｃを受信する音声種別情報受信工程と、送信装置ＳＡから送信されてくる音声切替期間情報Ａｘであって、送信装置ＳＡが送信する音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを受信する音声切替期間情報受信工程と、音声切替期間情報受信工程において受信する音声切替期間情報Ａｘがネゲート状態にあるときは、音声ストリームデータ受信工程において受信する音声ストリームデータＡＤに対して音声種別情報受信工程において受信する音声種別情報Ａｃに対応した再生速度で再生を行い、音声切替期間情報Ａｘがアサート状態にあるときは、音声ストリームデータＡＤに対してミュート処理を行うミュート処理付き再生工程とを含むものである。
【００２３】
（８）本発明によるＨＤＭＩ伝送方式送受信方法は、上記（５）のＨＤＭＩ伝送方式送信方法と、上記（６）または（７）のＨＤＭＩ伝送方式受信方法との組み合わせからなるものである。
【００２４】
以上のように構成することにより、送信装置において音声ストリームデータの種類を変更したときに、受信装置で音声ストリームデータと音声種別情報とが不一致となると見込まれる音声形式不一致区間内では、音声ストリームデータの処理において、再生速度変換を行った上で再生したりミュート処理を行ったりするので、音声ノイズを防止し音声出力の品質を向上させることが可能となる。
【００２５】
上記は音声用のＨＤＭＩ伝送方式の送信装置、受信装置、送受信システム、送信方法、受信方法、送受信方法に関するものであったが、以下では、映像用のＨＤＭＩ伝送方式の送信装置、受信装置、送受信システム、送信方法、受信方法、送受信方法に関して説明する。
【００２６】
（９）図３に示す本発明による映像用のＨＤＭＩ伝送方式送信装置ＳＶは、ＨＤＭＩ伝送方式で複数種類の映像ストリームデータＶＤを送信する映像ストリームデータ送信手段２１と、映像ストリームデータ送信手段２１が送信する映像ストリームデータＶＤの種類を示す映像種別情報Ｖｃを送信する映像種別情報送信手段２２と、映像ストリームデータ送信手段２１が送信する映像ストリームデータＶＤの種類が切り替わるタイミングよりも前のタイミングでアサートされ、前記映像ストリームデータＶＤの種類の切り替わりタイミングよりも所定時間経過後にネゲートされて前記データ種類の切り替えの前後にわたる期間を制御する映像切替期間情報Ｖｘを送信する映像切替期間情報送信手段２３と備えたものである。
【００２７】
（１０）図３に示す本発明による映像用のＨＤＭＩ伝送方式受信装置ＲＶは、ＨＤＭＩ伝送方式の複数種類の映像ストリームデータＶＤを受信する映像ストリームデータ受信手段４１と、映像ストリームデータ受信手段４１で受信する映像ストリームデータＶＤの種類を示す映像種別情報Ｖｃを受信する映像種別情報受信手段４２と、送信装置ＳＶから送信されてくる映像切替期間情報Ｖｘであって、送信装置ＳＶが送信する映像ストリームデータＶＤの種類が切り替わるタイミングよりも前のタイミングでアサートされ、前記映像ストリームデータＶＤの種類の切り替わりタイミングよりも所定時間経過後にネゲートされて前記データ種類の切り替えの前後にわたる期間を制御する映像切替期間情報Ｖｘを受信する映像切替期間情報受信手段４３と、映像切替期間情報受信手段４３が受信する映像切替期間情報Ｖｘがネゲート状態にあるときは、映像ストリームデータ受信手段４１が受信する映像ストリームデータＶＤに対して映像種別情報受信手段４２が受信する映像種別情報Ｖｃに対応した再生速度で再生を行い、映像切替期間情報Ｖｘがアサート状態にあるときは、映像ストリームデータＶＤに対して再生速度変換を行った上で再生を行う再生速度可変再生手段６１ａとを備えたものである。
【００２８】
（１１）図４に示す本発明による映像用のＨＤＭＩ伝送方式受信装置ＲＶ′は、ＨＤＭＩ伝送方式の複数種類の映像ストリームデータＶＤを受信する映像ストリームデータ受信手段４１と、映像ストリームデータ受信手段４１で受信する映像ストリームデータＶＤの種類を示す映像種別情報Ｖｃを受信する映像種別情報受信手段４２と、送信装置ＳＶから送信されてくる映像切替期間情報Ｖｘであって、送信装置ＳＶが送信する映像ストリームデータＶＤの種類が切り替わるタイミングよりも前のタイミングでアサートされ、前記映像ストリームデータＶＤの種類の切り替わりタイミングよりも所定時間経過後にネゲートされて前記データ種類の切り替えの前後にわたる期間を制御する映像切替期間情報Ｖｘを受信する映像切替期間情報受信手段４３と、映像切替期間情報受信手段４３が受信する映像切替期間情報Ｖｘがネゲート状態にあるときは、映像ストリームデータ受信手段４１が受信する映像ストリームデータＶＤに対して映像種別情報受信手段４２が受信する映像種別情報Ｖｃに対応した再生速度で再生を行い、映像切替期間情報Ｖｘがアサート状態にあるときは、映像ストリームデータＶＤに対してミュート処理を行うミュート処理付き再生手段６１ｂとを備えたものである。
【００２９】
（１２）図３または図４に示すように、映像用のＨＤＭＩ伝送方式送信装置ＳＶと、映像用のＨＤＭＩ伝送方式受信装置ＲＶまたはＲＶ′とで映像用のＨＤＭＩ伝送方式送受信システムが構成されている。
【００３０】
（１３）本発明によるＨＤＭＩ伝送方式送信方法は、ＨＤＭＩ伝送方式で複数種類の映像ストリームデータＶＤを送信する映像ストリームデータ送信工程と、映像ストリームデータ送信工程において送信する映像ストリームデータＶＤの種類を示す映像種別情報Ｖｃを送信する映像種別情報Ｖｃ送信工程と、映像ストリームデータ送信工程において送信する映像ストリームデータＶＤの種類が切り替わるタイミングよりも前のタイミングでアサートされ、前記映像ストリームデータＶＤの種類の切り替わりタイミングよりも所定時間経過後にネゲートされて前記データ種類の切り替えの前後にわたる期間を制御する映像切替期間情報Ｖｘを送信する映像切替期間情報送信工程とを含むものである。
【００３１】
（１４）本発明によるＨＤＭＩ伝送方式受信方法は、ＨＤＭＩ伝送方式の複数種類の映像ストリームデータＶＤを受信する映像ストリームデータ受信工程と、映像ストリームデータ受信工程において受信する映像ストリームデータＶＤの種類を示す映像種別情報Ｖｃを受信する映像種別情報受信工程と、送信装置ＳＶから送信されてくる映像切替期間情報Ｖｘであって、送信装置ＳＶが送信する映像ストリームデータＶＤの種類が切り替わるタイミングよりも前のタイミングでアサートされ、前記映像ストリームデータＶＤの種類の切り替わりタイミングよりも所定時間経過後にネゲートされて前記データ種類の切り替えの前後にわたる期間を制御する映像切替期間情報Ｖｘを受信する映像切替期間情報受信工程と、映像切替期間情報受信工程において受信する映像切替期間情報Ｖｘがネゲート状態にあるときは、映像ストリームデータ受信工程において受信する映像ストリームデータＶＤに対して映像種別情報受信工程において受信する映像種別情報Ｖｃに対応した再生速度で再生を行い、映像切替期間情報Ｖｘがアサート状態にあるときは、映像ストリームデータＶＤに対して再生速度変換を行った上で再生を行う再生速度可変再生工程とを含むものである。
【００３２】
（１５）本発明によるＨＤＭＩ伝送方式受信方法は、ＨＤＭＩ伝送方式の複数種類の映像ストリームデータＶＤを受信する映像ストリームデータ受信工程と、映像ストリームデータ受信工程において受信する映像ストリームデータＶＤの種類を示す映像種別情報Ｖｃを受信する映像種別情報受信工程と、送信装置ＳＶから送信されてくる映像切替期間情報Ｖｘであって、送信装置ＳＶが送信する映像ストリームデータＶＤの種類が切り替わるタイミングよりも前のタイミングでアサートされ、前記映像ストリームデータＶＤの種類の切り替わりタイミングよりも所定時間経過後にネゲートされて前記データ種類の切り替えの前後にわたる期間を制御する映像切替期間情報Ｖｘを受信する映像切替期間情報受信工程と、映像切替期間情報受信工程において受信する映像切替期間情報Ｖｘがネゲート状態にあるときは、映像ストリームデータ受信工程において受信する映像ストリームデータＶＤに対して映像種別情報受信工程において受信する映像種別情報Ｖｃに対応した再生速度で再生を行い、映像切替期間情報Ｖｘがアサート状態にあるときは、映像ストリームデータＶＤに対してミュート処理を行うミュート処理付き再生工程とを含むものである。
【００３３】
（１６）本発明によるＨＤＭＩ伝送方式送受信方法は、上記（１３）のＨＤＭＩ伝送方式送信方法と、上記（１４）または（１５）のＨＤＭＩ伝送方式受信方法との組み合わせからなるものである。
【００３４】
以上のように構成することにより、送信装置において映像ストリームデータの種類を変更したときに、受信装置で映像ストリームデータと映像種別情報とが不一致となると見込まれる音声形式不一致区間内では、映像ストリームデータの処理において、再生速度変換を行った上で再生したりミュート処理を行ったりするので、映像ノイズを防止し映像出力の品質を向上させることが可能となる。
【００３５】
（１７）図５に示す本発明によるＨＤＭＩ伝送方式送信装置は、上記（１）の音声用のＨＤＭＩ伝送方式送信装置ＳＡと上記（９）の映像用のＨＤＭＩ伝送方式送信装置ＳＶとの組み合わせからなるものである。
【００３６】
（１８）図５または図６に示す本発明による映像用のＨＤＭＩ伝送方式受信装置は、上記（２）または（３）の音声用のＨＤＭＩ伝送方式受信装置ＲＡと上記（１０）または（１１）の映像用のＨＤＭＩ伝送方式受信装置ＲＶ，ＲＶ′との組み合わせからなるものである。
【００３７】
（１９）図５や図６に示すように、本発明によるＨＤＭＩ伝送方式送受信システムは、上記（１７）の音声映像用のＨＤＭＩ伝送方式送信装置Ｓと上記（１８）の音声映像用のＨＤＭＩ伝送方式受信装置Ｒとの組み合わせからなるものである。
【００３８】
（２０）本発明によるＨＤＭＩ伝送方式送信方法は、上記（５）の音声用のＨＤＭＩ伝送方式送信方法と上記（１３）の映像用のＨＤＭＩ伝送方式送信方法との組み合わせからなるものである。
【００３９】
（２１）本発明によるＨＤＭＩ伝送方式受信方法は、（６）の音声用のＨＤＭＩ伝送方式受信方法と（１４）の映像用のＨＤＭＩ伝送方式受信方法との組み合わせからなるものである。
【００４０】
（２２）本発明によるＨＤＭＩ伝送方式受信方法は、上記（７）の音声用のＨＤＭＩ伝送方式受信方法と（１５）の映像用のＨＤＭＩ伝送方式受信方法との組み合わせからなるものである。
【００４１】
（２３）本発明によるＨＤＭＩ伝送方式送受信方法は、上記（８）の音声用のＨＤＭＩ伝送方式送受信方法と（１６）の映像用のＨＤＭＩ伝送方式送受信方法との組み合わせからなるものである。
【００４２】
以上のように構成することにより、送信装置において音声ストリームデータや映像ストリームデータの種類を変更したときに、受信装置で音声ストリームデータと音声種別情報とが不一致となると見込まれる音声形式不一致区間内あるいは映像ストリームデータと映像種別情報とが不一致となると見込まれる音声形式不一致区間内では、音声ストリームデータや映像ストリームデータの処理において、再生速度変換を行った上で再生したりミュート処理を行ったりするので、音声ノイズ、映像ノイズを防止し音声出力、映像出力の品質を向上させることが可能となる。
【発明の効果】
【００４３】
本発明によれば、送信装置において音声・映像ストリームデータの種類を変更したときに、受信装置でストリームデータと種別情報とが不一致となると見込まれる音声形式不一致区間内では、音声・映像ストリームデータの処理において、再生速度変換を行った上で再生したりミュート処理を行ったりするので、音声ノイズ、映像ノイズを防止し音声出力、映像出力の品質を向上させることができる。
【００４４】
このようなＨＤＭＩ画面のちらつき防止や音声ノイズ防止を、ハードウエア構成を変更することなくソフトウエアのみで実現することも可能である。
【発明を実施するための最良の形態】
【００４５】
以下、本発明にかかわるＨＤＭＩ伝送方式送受信システムの実施の形態を図面を用いて詳細に説明する。
【００４６】
図７は本発明の実施の形態におけるＨＤＭＩ伝送方式送受信システムでの送信装置の構成を示すブロック図である。
【００４７】
送信装置７０は、音声信号処理装置７１および送信部（Ｔｘ）７５から構成されている。
【００４８】
音声信号処理装置７１は、４４．１ｋＨｚ／ＤＴＳや４８ｋＨｚ／ＰＣＭといった音声信号Ｓ７１を生成する音声信号生成装置７２、ＣＰＵ７３、タイマ７４からなり、音声信号処理装置７１で生成された音声信号Ｓ７１をＣＰＵ７３を介して出力する。また、ＣＰＵ７３は音声信号Ｓ７１の切り替わりを検知し、音声制御信号Ｓ１２として出力する。タイマ７４はＣＰＵ７３によって制御されるタイマ機能をもつ。
【００４９】
送信部７５はＨＤＭＩ規格に準じたＨＤＭＩ送信処理装置７６からなり、このＨＤＭＩ送信処理装置７６は音声制御信号Ｓ１２で制御される状態で音声信号Ｓ７１をＨＤＭＩ規格の音声ストリームデータＡＤ（ＡＵＤＩＯ  ＳＯＵＲＣＥ）に変換し、ＨＤＭＩケーブル８０に出力する。また、音声制御信号Ｓ１２を入力して、音声ストリームデータＡＤの種類を示す音声種別情報Ａｃを生成し、さらに音声ストリームデータＡＤの種類が切り替わるタイミングよりも前のタイミングでアサートされ、前記音声ストリームデータＡＤの種類の切り替わりタイミングよりも所定時間経過後にネゲートされて前記データ種類の切り替えの前後にわたる期間を制御する音声切替期間情報Ａｘを生成し、音声ストリームデータＡＤ、音声種別情報Ａｃ、音声切替期間情報Ａｘをまとめて音声のＨＤＭＩデータＨＡとしてＨＤＭＩケーブル８０に出力する。ＨＤＭＩケーブル８０はＨＤＭＩ規格に準拠している。図１や図２に示すＨＤＭＩ伝送方式送信装置ＳＡがＨＤＭＩ送信処理装置７６において構成されている。
【００５０】
図８は本発明の実施の形態におけるＨＤＭＩ伝送方式送受信システムでの受信装置の構成を示すブロック図である。
【００５１】
受信装置９０は、受信部（Ｒｘ）９１と音声出力装置９３から構成されている。受信部９１は、ＨＤＭＩ規格に準じたＨＤＭＩ受信処理装置９２からなる。音声出力装置９３は、ＣＰＵ９４、音声信号出力装置９５およびタイマ９６からなる。
【００５２】
ＨＤＭＩ受信処理装置９２は、ＨＤＭＩケーブル８０から入力された音声ストリームデータＡＤを音声信号Ｓ９１に変換し、ＣＰＵ９４へ出力する。また、ＨＤＭＩケーブル８０から入力された音声種別情報Ａｃと音声切替期間情報ＡｘをＨＤＭＩ受信処理装置９２は、音声制御信号Ｓ９２として出力する。
【００５３】
音声出力装置９３において、ＣＰＵ９４はＨＤＭＩ受信処理装置９２から音声信号Ｓ９１と音声制御信号Ｓ９２を入力し、音声制御信号Ｓ９２に基づいて音声信号Ｓ９１に対して所定の音声処理またはミュート処理（ＡＵＤＩＯ  ＭＵＴＥ）を行った上で音声信号出力装置９５に出力する。タイマ９６はＣＰＵ９４によって制御されるタイマ機能をもつ。図１や図２に示すＨＤＭＩ伝送方式受信装置ＲＡ，ＲＡ′がＨＤＭＩ受信処理装置９２において構成されている。
【００５４】
図９は音声のＨＤＭＩデータＨＡの内容を示す。ＨＤＭＩデータＨＡはＨＤＭＩ規格で定義されており、音声ストリームデータＡＤ、音声種別情報Ａｃおよび音声切替期間情報Ａｘで構成される。本実施の形態における音声種別情報Ａｃの従来技術との比較を示す。ここでは、音声種別情報Ａｃにおいて、従来技術では未使用となっているＲＥＳＥＲＶＥＤ（予約済み）を音声切替期間情報Ａｘとしている。
【００５５】
次に、上記のように構成された本実施の形態のＨＤＭＩ伝送方式送受信システムの動作を説明する。
【００５６】
まず、図１０のフローチャートに基づいて送信装置７０で行う音声ストリームデータＡＤの種類を切り替えるときの動作を説明する。
【００５７】
音声信号処理装置７１において音声信号Ｓ７１の種類を変更する場合、ＣＰＵ７３は音声信号生成装置７２からの信号の変化を検知し、ステップＳ１からの処理を開始する。
【００５８】
まずステップＳ１において、音声切替期間情報ＡｘをＯＮにして、送信部７５を介して音声ストリームデータＡＤ、音声種別情報Ａｃとともに受信部９１へ送信する。音声切替期間情報Ａｘは、ここではアクティブロウとなっている。
【００５９】
次いでステップＳ２において、１垂直周期のアイドリングを行う。このアイドリングにはタイマ７４を利用する。
【００６０】
次いでステップＳ３において、音声ストリームデータＡＤの切り替えを行い、同時に音声種別情報Ａｃも切り替える。
【００６１】
次いでステップＳ４において、３垂直周期のアイドリングを行う。
【００６２】
次いでステップＳ５において、音声切替期間情報ＡｘをＯＦＦにして、切り替え後の音声種別情報Ａｃを送信部７５を介して受信部９１へ送信する。
【００６３】
この図１０の処理を図１３のタイミングチャートと対比しながら補足説明する。図１３は再生速度変換を伴う音声出力処理（話速変換処理）についてのタイミングチャートである。送信装置７０の動作であるので、図１３の上段を参照する。
【００６４】
当初に送信している音声ストリームデータＡＤを４８ｋＨｚ／ＰＣＭであるとする。音声種別情報Ａｃも４８ｋＨｚ／ＰＣＭとなっている。また、音声切替期間情報ＡｘはＯＦＦである。
【００６５】
音声切替期間情報ＡｘをＯＮにするステップＳ１はタイミングＴ１に対応する。１垂直周期のアイドリングを行うステップＳ２はタイミングＴ１〜Ｔ２に対応する。音声ストリームデータＡＤの切り替えを行い、同時に音声種別情報Ａｃも切り替えるステップＳ３はタイミングＴ３に対応する。この切り替えにより、音声ストリームデータＡＤは４４．１ｋＨｚ／ＤＴＳとなり、音声種別情報Ａｃも４４．１ｋＨｚ／ＤＴＳとなる。３垂直周期のアイドリングを行うステップＳ４はタイミングＴ３〜Ｔ６に対応する。音声切替期間情報ＡｘをＯＦＦにするステップＳ５はタイミングＴ６に対応する。
【００６６】
送信装置７０においては、音声ストリームデータＡＤと音声種別情報Ａｃは常に一致している。つまり、音声ストリームデータＡＤが４８ｋＨｚ／ＰＣＭのときは音声種別情報Ａｃも４８ｋＨｚ／ＰＣＭであり、音声ストリームデータＡＤが４４．１ｋＨｚ／ＤＴＳのときは音声種別情報Ａｃも４４．１ｋＨｚ／ＤＴＳである。
【００６７】
次に、図１１のフローチャートに基づいて音声ストリームデータＡＤの種類が切り替えられたときの受信装置９０の動作を説明する。
【００６８】
ＣＰＵ９４は受信部９１を介して受け取った音声切替期間情報ＡｘがＯＮであることを判断すると、ステップＳ１１からの処理を開始する。
【００６９】
まずステップＳ１１において、音声ストリームデータＡＤの切り替えと音声種別情報Ａｃの切り替えが確認されると、ステップＳ１２へ移行する。
【００７０】
次いでステップＳ１２において、音声切替期間情報ＡｘがＯＦＦであるかＯＮであるかを判断する。ＯＦＦであれば、ステップＳ１３に進み、所定の再生速度変換を伴う音声出力処理または音声ミュート処理の解除を行う。また、ＯＮであれば、ステップＳ１４に進み、所定の再生速度変換を伴う音声出力処理または音声ミュート処理を行う。
【００７１】
再生速度変換を伴う音声出力処理は図１２のフローチャートに従って行う。
【００７２】
ステップＳ２１において、話速変換（再生速度変換）を開始する。次いでステップＳ２２において、タイマ９６を利用して１垂直周期のアイドリングを行い、１垂直周期分の音声ストリームデータＡＤのバッファリングを行う。次いでステップＳ２３において、音声切替期間情報ＡｘのＯＦＦを待つ。音声切替期間情報ＡｘがＯＦＦするとステップＳ２４に進んで、再生動作として音声ストリームデータＡＤの実効的な切り替えを行う。
【００７３】
この図１０の処理を図１３のタイミングチャートと対比しながら補足説明する。受信装置９０の動作であるので、図１３の下段を参照する。
【００７４】
当初に受信している音声ストリームデータＡＤを４８ｋＨｚ／ＰＣＭであるとする。音声種別情報Ａｃも４８ｋＨｚ／ＰＣＭとなっている。また、音声切替期間情報ＡｘはＯＦＦである。
【００７５】
ステップＳ１１に移行する条件として音声切替期間情報ＡｘがＯＮであることを判断するのは、タイミングＴ２に対応する。これをトリガーとして、音声ストリームデータＡＤに話速変換処理を実行する。これは、タイミングＴ２〜Ｔ７に対応する。詳しくは、１垂直周期の音声データのバッファリングを行い、バッファリングの完了後、バッファリングした音声データに０．２倍速話速変換処理を加えた音声データを出力する。
【００７６】
この間に、送信装置７０の音声ストリームデータＡＤ、音声種別情報Ａｃの切り替えに伴って、受信装置９０でも音声ストリームデータＡＤが切り替わり、音声種別情報Ａｃが切り替わる。ただし、音声ストリームデータＡＤの４８ｋＨｚ／ＰＣＭから４４．１ｋＨｚ／ＤＴＳへの切り替わりはタイミングＴ４であり、音声種別情報Ａｃの４８ｋＨｚ／ＰＣＭから４４．１ｋＨｚ／ＤＴＳへの切り替わりはタイミングＴ５である。このように、受信装置９０では、音声ストリームデータＡＤの切り替わりタイミングと音声種別情報Ａｃの切り替わりタイミングとの間にタイムラグが発生する。Ｔ４〜Ｔ５が音声形式不一致区間Ｔｚである。
【００７７】
実は、受信装置９０において、この音声形式不一致区間Ｔｚの前後を挟む一定の期間が音声切替期間情報ＡｘのＯＮ期間になるようにあらかじめ設定しているわけである。タイミングＴ４の受信装置９０での音声ストリームデータＡＤの切り替わりの要因は、送信装置７０でのタイミングＴ３での音声ストリームデータＡＤの切り替わりにある。受信装置９０において、音声ストリームデータＡＤが切り替わるタイミングＴ４よりも前方のタイミングから再生速度変換を伴う音声出力処理を開始するために、タイミングＴ２で音声切替期間情報ＡｘがＯＮになっているようにしている。タイミングＴ４からタイミングＴ２へは前方へ２垂直周期であるので、送信装置７０において、音声ストリームデータＡＤの切り替わりのタイミングＴ３に対して前方へ２垂直周期のタイミングＴ１で音声切替期間情報ＡｘをＯＮにするようにしている。また、タイミングＴ５の受信装置９０での音声種別情報Ａｃの切り替わりの要因は、送信装置７０でのタイミングＴ３での音声ストリームデータＡＤの切り替わりにある。受信装置９０において、音声種別情報Ａｃが切り替わったタイミングＴ５よりも後方のタイミングまで再生速度変換を伴う音声出力処理を継続するために、タイミングＴ７で音声切替期間情報ＡｘをＯＦＦに戻すようにしている。タイミングＴ５からタイミングＴ７へは後方へ２垂直周期である。送信装置７０において、音声種別情報Ａｃの切り替わりのタイミングＴ３に対して後方へ３垂直周期のタイミングＴ６で音声種別情報ＡｃをＯＦＦに戻すようにしている。１垂直周期増やしているのは、タイムラグである音声形式不一致区間Ｔｚを加味したからである。
【００７８】
以上のように、受信装置９０において、音声ストリームデータＡＤの切り替わりタイミングと音声種別情報Ａｃの切り替わりタイミングとの間にずれが生じる音声形式不一致区間Ｔｚを想定し、その音声形式不一致区間Ｔｚの前後を挟む一定の区間を示すための音声切替期間情報Ａｘ（５垂直周期相当）を用い、この音声切替期間情報Ａｘを送信装置７０で音声ストリームデータＡＤおよび音声種別情報Ａｃの切り替わりタイミングの前方から発生させ、その音声切替期間情報Ａｘを送信装置７０に送信し、これを受け取った送信装置７０で音声切替期間情報Ａｘを利用して、所定の再生速度変換を伴う音声出力処理または音声ミュート処理を行い、音声信号出力装置９５に出力することにより、受信装置９０の再生において音声乱れの発生を防止している。
【００７９】
図１４は実質的に図１３と同じ状況での動作を示し、音声ストリームデータＡＤ、音声種別情報Ａｃおよび音声切替期間情報Ａｘの詳しいデータ例を併せ示している。これは、音声ストリームデータＡＤを４８ｋＨｚ／ＰＣＭから４４．１ｋＨｚ／ＤＴＳへ変更する場合のものである。
【００８０】
期間Ｆ１では、送信装置７０と受信装置９０がオーディオ形式を４８ｋＨｚ／ＰＣＭにして送受信している。音声切替期間情報ＡｘはＯＦＦとなっている。
【００８１】
期間Ｆ２では、送信装置７０が音声ストリームデータＡＤの切り替わりを検知し、音声切替期間情報ＡｘをＯＮにしている。
【００８２】
期間Ｆ３では、受信装置９０が音声切替期間情報ＡｘのＯＮを受信している。
【００８３】
期間Ｆ４では、送信装置７０の音声ストリームデータＡＤが４８ｋＨｚ／ＰＣＭから４４．１ｋＨｚ／ＤＴＳに切り替えられ、音声種別情報Ａｃも４４．１ｋＨｚ／ＤＴＳに切り替えられている。しかし、受信装置９０では、音声ストリームデータＡＤも音声種別情報Ａｃもともに４８ｋＨｚ／ＰＣＭのままである。
【００８４】
期間Ｆ５では、送信装置７０は期間Ｆ４と同じである。受信装置９０では、音声ストリームデータＡＤが４４．１ｋＨｚ／ＤＴＳに切り替わるが、音声種別情報Ａｃは４８ｋＨｚ／ＰＣＭのままである。これは、音声ストリームデータＡＤと音声種別情報Ａｃとが非同期に送受信されるためである。音声ストリームデータＡＤは受信装置９０に到達したが、音声種別情報Ａｃはまだ受信装置９０に到達していない。この期間Ｆ５は音声形式不一致区間Ｔｚである。ここでは、音声ストリームデータＡＤと音声種別情報Ａｃとが不一致となるため、従来通りの制御では、音声ストリームデータＡＤに対して誤った再生処理を行うことになる。
【００８５】
期間Ｆ６では、受信装置９０において、音声種別情報Ａｃが４８ｋＨｚ／ＰＣＭから４４．１ｋＨｚ／ＤＴＳへ切り替わったことを認識する。
【００８６】
期間Ｆ７では、送信装置７０において、音声切替期間情報ＡｘがＯＦＦに戻されている。
【００８７】
期間Ｆ８では、受信装置９０において、音声切替期間情報ＡｘがＯＦＦに戻されたことを認識し、所定の再生速度変換を伴う音声出力処理または音声ミュート処理を解除する。
【００８８】
以上のようにして、ＨＤＭＩ伝送方式の音声ストリームデータＡＤの切り替え時に、所定の再生速度変換を伴う音声出力処理または音声ミュート処理を行うことにより、音声の乱れを防止することができる。
【００８９】
映像ストリームデータのＨＤＭＩ伝送方式送受信システムについても、図１５〜図２０に示されるように、上記と同様に構成することができる。図１５〜図２０については、上記の音声ストリームデータについての説明を映像ストリームデータに置き換えて理解すればよいので、説明を省略する。
【産業上の利用可能性】
【００９０】
本発明の技術は、ＨＤＭＩ伝送方式送受信システムにおいて、ストリームデータの切り替え時の音声乱れや画面乱れの防止等に有用である。
【図面の簡単な説明】
【００９１】
【図１】本発明による音声用のＨＤＭＩ伝送方式送受信システムの構成を示すブロック図（その１）
【図２】本発明による音声用のＨＤＭＩ伝送方式送受信システムの構成を示すブロック図（その２）
【図３】本発明による映像用のＨＤＭＩ伝送方式送受信システムの構成を示すブロック図（その１）
【図４】本発明による映像用のＨＤＭＩ伝送方式送受信システムの構成を示すブロック図（その２）
【図５】本発明による音声・映像用のＨＤＭＩ伝送方式送受信システムの構成を示すブロック図（その１）
【図６】本発明による音声・映像用のＨＤＭＩ伝送方式送受信システムの構成を示すブロック図（その２）
【図７】本発明の実施の形態における音声用のＨＤＭＩ伝送方式送受信システムでの送信装置の構成を示すブロック図
【図８】本発明の実施の形態における音声用のＨＤＭＩ伝送方式送受信システムでの受信装置の構成を示すブロック図
【図９】ＨＤＭＩの音声データの構成図
【図１０】本発明の実施の形態における音声用の信装置で行う音声ストリームデータの種類を切り替えるときの動作を示すフローチャート
【図１１】本発明の実施の形態における音声用の受信装置で音声ストリームデータの種類を切り替えられたときの動作を示すフローチャート
【図１２】本発明の実施の形態における再生速度変換を伴う音声出力処理の動作を示すフローチャート
【図１３】本発明の実施の形態における再生速度変換を伴う音声出力処理（話速変換処理）の動作を示すタイミングチャート
【図１４】本発明の実施の形態における音声用の再生制御をデータの具体例とともに示すタイミングチャート
【図１５】本発明の実施の形態における映像用のＨＤＭＩ伝送方式送受信システムでの送信装置の構成を示すブロック図
【図１６】本発明の実施の形態における映像用のＨＤＭＩ伝送方式送受信システムでの受信装置の構成を示すブロック図
【図１７】ＨＤＭＩの映像データの構成図
【図１８】本発明の実施の形態における映像用の送信装置で行う映像ストリームデータの種類を切り替えるときの動作を示すフローチャート
【図１９】本発明の実施の形態における映像用の受信装置で映像ストリームデータの種類を切り替えられたときの動作を示すフローチャート
【図２０】本発明の実施の形態における映像用の再生制御をデータの具体例とともに示すタイミングチャート
【図２１】従来の技術における音声ストリームデータ切り替え時の動作を示すタイミングチャート
【図２２】従来の技術における映像ストリームデータ切り替え時の動作を示すタイミングチャート
【符号の説明】
【００９２】
Ｓ  ＨＤＭＩ伝送方式送信装置
Ｒ  ＨＤＭＩ伝送方式受信装置
ＳＡ  音声用のＨＤＭＩ伝送方式送信装置
ＲＡ，ＲＡ′  音声用のＨＤＭＩ伝送方式受信装置
ＳＶ  映像用のＨＤＭＩ伝送方式送信装置
ＲＶ，ＲＶ′  映像用のＨＤＭＩ伝送方式受信装置
ＡＤ  音声ストリームデータ
Ａｃ  音声種別情報
Ａｘ  音声切替期間情報
ＨＡ  音声用のＨＤＭＩデータ
ＨＶ  映像用のＨＤＭＩデータ
ＶＤ  映像ストリームデータ
Ｖｃ  映像種別情報
Ｖｘ  映像切替期間情報
Ｔｚ  音声形式不一致区間
１１  音声ストリームデータ送信手段
１２  音声種別情報送信手段
１３  音声切替期間情報送信手段
２１  映像ストリームデータ送信手段
２２  映像種別情報送信手段
２３  映像切替期間情報送信手段
３１  音声ストリームデータ受信手段
３２  音声種別情報受信手段
３３  音声切替期間情報受信手段
４１  映像ストリームデータ受信手段
４２  映像種別情報受信手段
４３  映像切替期間情報受信手段
５１ａ  再生速度可変再生手段
５１ｂ  ミュート処理付き再生手段
６１ａ  再生速度可変再生手段
６１ｂ  ミュート処理付き再生手段
７０  音声用の送信装置
７１  音声信号処理装置
７２  音声信号生成装置
７３  ＣＰＵ
７４  タイマ
７５  送信部（Ｔｘ）
７６  ＨＤＭＩ送信処理装置
８０  ＨＤＭＩケーブル
９０  音声用の受信装置
９１  受信部（Ｒｘ）
９２  ＨＤＭＩ受信処理装置
９３  音声出力装置
９４  ＣＰＵ
９５  音声信号出力装置
９６  タイマ
１００  映像用の送信装置
１０１  映像信号処理装置
１０２  映像信号生成装置
１０３  ＣＰＵ
１０４  タイマ
１０５  送信部（Ｔｘ）
１０６  ＨＤＭＩ送信処理装置
１１０  ＨＤＭＩケーブル
１２０  映像用の受信装置
１２１  受信部（Ｒｘ）
１２２  ＨＤＭＩ受信処理装置
１２３  音声出力装置
１２４  ＣＰＵ
１２５  映像信号出力装置
１２６  タイマ
【図１】
2008107397.tif 000003
【図２】
2008107397.tif 000004
【図３】
2008107397.tif 000005
【図４】
2008107397.tif 000006
【図５】
2008107397.tif 000007
【図６】
2008107397.tif 000008
【図７】
2008107397.tif 000009
【図８】
2008107397.tif 000010
【図９】
2008107397.tif 000011
【図１０】
2008107397.tif 000012
【図１１】
2008107397.tif 000013
【図１２】
2008107397.tif 000014
【図１３】
2008107397.tif 000015
【図１４】
2008107397.tif 000016
【図１５】
2008107397.tif 000017
【図１６】
2008107397.tif 000018
【図１７】
2008107397.tif 000019
【図１８】
2008107397.tif 000020
【図１９】
2008107397.tif 000021
【図２０】
2008107397.tif 000022
【図２１】
2008107397.tif 000023
【図２２】
2008107397.tif 000024